(57)【特許請求の範囲】
【請求項１】
胴部と、前記胴部の天面を覆う頂部と、を備えて物品を収容可能な包装袋であって、
前記頂部には前記包装袋の内部を開放／閉塞することが可能な開閉部が設けられ、
前記胴部には複数の前記物品を並置して互いに接触した状態で密に配列可能であり、
前記開閉部によって前記包装袋の内部を閉塞した閉塞状態において、
前記開閉部が、前記物品の配列方向と略平行な方向に略直線状に延在し、且つ、前記開閉部が、前記包装袋の上面視において、前記胴部の前記天面を横切るように延在し、
前記開閉部は、前記物品の配列方向において、前記開閉部の長さが前記胴部の長さよりも長くなるように構成されていることを特徴とする包装袋。
【請求項２】
前記閉塞状態において、前記開閉部は、前記包装袋に圧縮して複数収容されることで生じる物品の復元力の作用方向と略平行な方向に延在することを特徴とする請求項１に記載の包装袋。
【請求項３】
前記開閉部は、互いに係合することで前記包装袋の開口を閉塞可能な雌係合部材と雄係合部材とを有し、
前記雌係合部材と前記雄係合部材との係合する方向が、前記物品の配列方向と略垂直な方向であることを特徴とする請求項１または請求項２に記載の包装袋。
【請求項４】
請求項１から請求項３のいずれか一項に記載の包装袋により前記物品が収容されていることを特徴とする包装体。
【請求項５】
前記物品は、衛生用品であることを特徴とする請求項４に記載の包装体。
【請求項６】
前記衛生用品は、パンツ型のおむつであることを特徴とする請求項５に記載の包装体。
【発明の詳細な説明】
【技術分野】
【０００１】
本発明は、包装袋および包装体に関する。特に、包装対象となる物品の中でも衛生用品を収容するのに好適な包装袋と当該包装袋により衛生用品を収容した包装体に関する。
【背景技術】
【０００２】
従来、物品、例えば、靴下、肌着等の衣類や、使い捨ておむつ、軽失禁パッド、生理用品等の衛生用品を収容可能な包装袋に、可能な限り多くの数の物品を効率良く収容させるため、形状、材質、収容方法に様々な工夫がなされた包装袋が存在している。例えば、特許文献１には、複数の物品を圧縮した状態で整列して収容することで、効率良く物品を梱包可能な包装袋が示されている。
【０００３】
一方、開封後の包装袋に収容された物品をできる限り清潔に保つために、包装袋の開口を開放／閉塞することが可能な開閉部を包装袋に設けることが好ましいと考えられる。
【先行技術文献】
【特許文献】
【０００４】
【特許文献１】特開２００１−２４７１８１号公報
【発明の概要】
【発明が解決しようとする課題】
【０００５】
ここで、開閉部を、特許文献１に記載されたような包装袋の頂部の開口付近に設け、開封後に開閉部により閉塞した場合、当該包装袋に圧縮して収容することで生じる物品の復元力が開閉部の閉塞状態を保つ力を上回って、包装袋の開口を閉塞しにくい、または、開閉部で閉塞していた包装袋の開口が開いてしまう可能性があった。そのため、包装袋に収容された物品を清潔に保てないおそれがあった。これは物品が衛生用品である場合に特に大きな問題となる。
【０００６】
本発明の目的は、包装袋の閉塞状態を維持するための包装袋および包装体を提供することにある。
【課題を解決するための手段】
【０００７】
本発明による包装袋は、胴部と、胴部の天面を覆う頂部と、を備えて物品を収容可能な包装袋であって、頂部には包装袋の内部を開放／閉塞することが可能な開閉部が設けられ、胴部には複数の物品を並置して互いに接触した状態で密に配列可能であり、包装袋の内部を閉塞した閉塞状態において、開閉部が、物品の配列方向と略平行な方向に延在することを特徴とするものである。
【０００８】
また、本発明による包装体は、本発明による包装袋によって物品を収容したことを特徴とするものである。
【発明の効果】
【０００９】
本発明の包装袋および包装体によれば、包装袋の閉塞状態を維持し、包装袋に収容された物品の清潔状態を保持することが可能となる。
【図面の簡単な説明】
【００１０】
【図１】本発明の実施形態１に係る、開封前の包装袋および包装体の斜視図である。
【図２】本発明の実施形態１に係る、開封前の包装袋および包装体を示す図であり、（ａ）は図１のＩＩＡ方向の正面図、（ｂ）は上面図、（ｃ）は底面図である。
【図３】本発明の実施形態１に係る包装袋を閉塞する様子について説明するための図であり、（ａ）は図２（ｂ）のＩＩＩＡ−ＩＩＩＡ方向断面図、（ｂ）は開封後かつ閉塞後の包装袋の開閉部付近を示す図である。
【図４】本発明の実施形態１に係る、閉塞後の包装袋および包装体の斜視図である。
【図５】物品の復元力の作用方向について説明するための図であり、（ａ）は図２（ａ）のＶＡ−ＶＡ方向断面図であり、包装袋に物品が圧縮して整列している様子、（ｂ）は圧縮して収容する前の１枚の物品、（ｃ）は圧縮して収容した後の１枚の物品をそれぞれ示す。
【図６】物品の復元力による、包装袋および包装体の胴部の変形について簡略的に示した図である。
【図７】本発明の実施形態２−１に係る、開封前の包装袋および包装体の斜視図である。
【図８】本発明の実施形態２−１に係る、開封前の包装袋および包装体を示す図であり、（ａ）は図７のＶＩＩＩＡ方向の正面図、（ｂ）は上面図、（ｃ）は底面図である。
【図９】本発明の実施形態２−１に係る、開封後の包装袋および包装体を示す図であり、（ａ）は斜視図、（ｂ）は図９（ａ）のＩＸＢ方向の正面図、（ｃ）は上面図である。
【図１０】図８（ａ）のＸ−Ｘ方向の断面を表した模式図である。
【図１１】本発明の実施形態２−１に係る包装袋を閉塞する様子について説明するために模式的に表した断面図であり、（ａ）は図８（ｂ）のＸＩＡ−ＸＩＡ方向断面図、（ｂ）は図９（ｃ）のＸＩＢ−ＸＩＢ方向断面図、（ｃ）は開封後かつ閉塞後の包装袋の開閉部付近を示す図である。
【図１２】本発明の実施形態２−１に係る、閉塞後の包装袋および包装体の斜視図である。
【図１３】本発明の実施形態２−２に係る、開封前の包装袋および包装体の斜視図である。
【図１４】本発明の実施形態２−２に係る、開封前の包装袋および包装体を示す図であり、（ａ）は図１３のＸＩＶＡ方向の正面図、（ｂ）は上面図、（ｃ）は底面図である。
【図１５】本発明の実施形態２−２に係る、開封後の包装袋および包装体を示す図であり、（ａ）は斜視図、（ｂ）は図１５（ａ）のＸＶＢ方向の正面図、（ｃ）は上面図である。
【図１６】図１４（ａ）のＸＶＩ−ＸＶＩ方向の断面を表した模式図である。
【図１７】本発明の実施形態２−２に係る包装袋を閉塞する様子について説明するために模式的に表した断面図であり、（ａ）は図１４（ｂ）のＸＶＩＩＡ−ＸＶＩＩＡ方向断面図、（ｂ）は図１５（ｃ）のＸＶＩＩＢ−ＸＶＩＩＢ方向断面図、（ｃ）は開封後かつ閉塞後の包装袋の開閉部付近を示す図である。
【図１８】本発明の実施形態２−２に係る、閉塞後の包装袋および包装体の斜視図である。
【発明を実施するための形態】
【００１１】
以下、図面を参照しながら本発明を実施するための形態を詳細に説明する。
【００１２】
なお、本明細書および特許請求の範囲の記載において、「天面」および「底面」とは、包装袋によって画成された物品の収容空間の面自体を指すものとして参照される。但し、これらの用語はあくまで便宜上のものであり、重力方向における絶対的な位置を規定するものではないことは勿論である。また、「上」、「下」などの用語についても同様である。「底面部」とは、「底面」に位置している包装袋の実体的な部分を指すものとして参照される。一方、「頂部」とは、天面を覆っている実体的な部分である天面部と、これに必要に応じて付帯する部分と、を含む部分を言い、当該付帯部分がない場合には天面部自体と等しい。
【００１３】
また、本明細書および特許請求の範囲の記載において、「包装体」とは、物品が収容された状態の包装袋、特に包装袋に複数の物品が収容されることで製造された後であって且つ開封前のものをいう。
【００１４】
さらに、本明細書および特許請求の範囲の記載における「閉塞」という用語は、包装体の内部を雰囲気から完全に遮断すること（すなわち封止すること）だけでなく、包装体の内部を異物の侵入から効果的に保護できる程度に実質的に包装袋を閉じることも包含するものである。また、「閉塞状態」とは、包装袋の内部を閉塞した状態をいい、以下、「包装袋の閉塞状態」とも言う。
【００１５】
本明細書および特許請求の範囲の記載において、「接着」とは、接着剤を使用したものの他、溶着によるもの、熱融着（以下、ヒートシールということがある）によるものも含む。
【００１６】
本発明の実施形態に係る包装袋は、当該包装袋の閉塞状態において、開閉部が、複数の物品の配列方向と略平行な方向に延在するように、当該開閉部を包装袋の頂部に設けることにより、包装袋の閉塞状態を維持し、その結果、収容された物品の清潔状態を保持することが可能となるものである。
【００１７】
＜実施形態１＞  
図１および図２に本発明の実施形態１に係る、開封前の包装袋１および包装体１００を示し、図１は斜視図、図２（ａ）は図１のＩＩＡ方向の正面図、図２（ｂ）は上面図、図２（ｃ）は底面図をそれぞれ表す。
【００１８】
本実施形態に係る包装袋１は、いわゆる、天面側に片ガセットを配置したタイプのものである。包装袋１は、天面と底面との間の物品（本実施形態では衛生用品２）を収容する空間を実質的に画成する胴部３と、当該胴部３の天面を覆う頂部４とを備えて構成される。なお、これらの部分は別体に製造された後に一体化されたものではなく、１枚のシート状部材の折り曲げ等によって予め一体に形成されているものである。
【００１９】
本実施形態の包装袋１は、衛生用品２を複数収容した状態で略直方体形状を呈し、胴部３は、包装袋１の底面部と略垂直な４つの側面部を有する。図２（ｂ）に示すように、その略直方体を包装袋１の天面側からみた場合の包装袋１の上面の形状は略長方形である。なお、本明細書および特許請求の範囲の記載において「略直方体」というときは、当然に立方体も含まれるし、「略長方形」というときは、当然に正方形も含まれる。包装袋１の上面の形状が正方形である場合、いずれの辺を本明細書および特許請求の範囲の記載における長辺（または短辺）とみなしてもよい。図１に示すように、当該４つの側面部のうち、一方の対向する２つの側面部をＡ、Ａ’とし、他方の対向する２つの側面部をＢ、Ｂ’とする。包装袋１の胴部３には複数の衛生用品２を並置して互いに接触した状態で密に配列可能である。本実施形態では、衛生用品２は、圧縮された状態で、上記略長方形の長辺と略平行（対向する２つの側面部Ｂ、Ｂ’と略平行）に配列され、包装袋１の胴部３に収容されている。圧縮して収容された複数の衛生用品２の復元力によって、対向する２つの側面部Ａ、Ａ’には、包装袋１の外側に膨出するような力が略垂直方向に働くことになる。
【００２０】
頂部４には、包装袋１の胴部３の底面部（図２（ｃ）を参照）と略平行な天面部５とこれに付帯する立ち上がり部６とが設けられる。天面部５の中央付近には、上記略長方形の長辺と略平行に開封線７が設けられ、これを破断することで、包装袋１が開封され、包装袋１の開口が形成される。開封線７は、例えば、ミシン目として天面部５上に形成される。
【００２１】
頂部４には包装袋１の内部を開放／閉塞することが可能な開閉部８が設けられる。開閉部８は、例えば、互いに係合（例えば、咬合）することで包装袋１の開口を閉塞可能な一対の係合部材を有するチャックで構成され、図１および図２（ｂ）に示すように、互いに係合可能な雌係合部材８ａと雄係合部材８ｂとで構成される。本実施形態では、開閉部８は、包装袋１の胴部３の底面部と略平行であって、頂部４の立ち上がり部６のうち内周部分に設けられ、例えば、包装袋１の表面に接着することによって形成される。本実施形態では、図２（ｂ）に示す略長方形の上半分の内周部分に雌係合部材８ａが形成され、図２（ｂ）に示す略長方形の下半分の内周部分に雄係合部材８ｂが形成される。開閉部８を設けることによって、必要な枚数の衛生用品２を取り出した後、開閉部８により包装袋１の開口を閉塞することが可能となるため、開封後に塵埃や虫などの異物が侵入し衛生用品２に付着することを防止することが可能となる。
【００２２】
図２（ａ）に示すように、開閉部８は、収容した衛生用品２に対し、胴部３の底面部に垂直な方向において、間隙Ｌをもって位置するように形成されている。当該間隙Ｌが設けられることによって、開閉部８のうち雌係合部材８ａと雄係合部材８ｂとが、互いに対峙して容易に係合できる範囲に移動することができるため、包装袋１を閉塞することが可能となる。
【００２３】
図３を用い、本発明の実施形態１に係る包装袋１を閉塞する様子について説明する。ここで、図３（ａ）は、図２（ｂ）のＩＩＩＡ−ＩＩＩＡ方向断面図であって、開封前の包装袋１の開閉部８付近を示し、図３（ｂ）は、開封後かつ閉塞後の包装袋１の開閉部８付近の模式図を示す。また、図４に閉塞後の包装袋１および包装体１００の斜視図を示す。
【００２４】
包装袋１の開封前の開閉部８については、図３（ａ）に示すように、雌係合部材８ａと雄係合部材８ｂとが互いに離れて、対向している様子がわかる。開封後の包装袋１を閉塞する際の開閉部８については、図３（ｂ）に示すように、雌係合部材８ａと雄係合部材８ｂとが互いに係合して包装袋１を閉塞している様子がわかる。包装袋１を閉塞すると、包装袋１は図４に示すような状態になる。
【００２５】
本実施形態では、図４に示すように、包装袋１の閉塞状態において、開閉部８が、衛生用品２の配列方向と略平行な方向に延在する。すなわち、閉塞状態において、開閉部８は、包装袋１に圧縮して複数収容されることで生じる衛生用品２の復元力の作用方向と略平行な方向に延在する。換言すれば、雌係合部材８ａと雄係合部材８ｂとの係合する方向は、衛生用品２の配列方向と略垂直な方向である。
【００２６】
図５は包装袋に圧縮して複数収容されることで生じる衛生用品の復元力の作用方向について説明するための図である。図５（ａ）は図２（ａ）のＶＡ−ＶＡ方向断面図であり、包装袋１に衛生用品が圧縮して整列している様子を示す。また、図５（ｂ）は圧縮して収容する前の１枚の衛生用品、図５（ｃ）は圧縮して収容した後の１枚の衛生用品をそれぞれ示す。
【００２７】
図５（ａ）に示すように、包装袋１には、衛生用品２1、２2、２3、２4〜２n-1、２n（ｎは２以上の整数）がそれぞれ圧縮状態で収容されている。図５（ｂ）および図５（ｃ）に示すように、例えば、圧縮して収容した後の１枚の衛生用品２1には、圧縮して収容する前の１枚の衛生用品２’1と比較して、圧縮された力に対して反発するように、復元力Ｆ1が生じているのがわかる。残りの衛生用品２2、２3、２4〜２n-1、２nについても、衛生用品２1と同様に圧縮されるので、復元力Ｆ1と同様の復元力をそれぞれ生じることになる。そして、複数の衛生用品２1、２2、２3、２4〜２n-1、２nから生じた復元力Ｆ2は、対向する２つの側面部Ａ、Ａ’を外側に膨出するように、側面部Ａ、Ａ’に対して略垂直な方向に働くことになる（図５（ａ）を参照）。また、対向する２つの側面部Ａ、Ａ’が外側に膨出することによって、側面部Ａ、Ａ’と一体となっている側面部Ｂ、Ｂ’ にも力がそれぞれ伝わり、図５（ａ）に示すように、側面部Ｂ、Ｂ’に対して内側に凹む力Ｆ3がそれぞれ作用することになる。
【００２８】
図６は圧縮して複数収容したときに生じる衛生用品の復元力による、図２（ａ）のＶＡ−ＶＡ方向断面の包装袋１および包装体１００の胴部の変形について模式的に且つ誇張して示した図である。図６において、複数の衛生用品２が収容される前の包装袋１の胴部３の断面形状Ｃを一点鎖線で表し、複数の衛生用品２が収容された後の包装袋１の胴部３の断面形状Ｄを実線で表す。断面形状Ｄは、図６に示すように、断面形状Ｃと比較して、収容された複数の衛生用品２の復元力Ｆ2および力Ｆ3によって変形している（図６では横長になっている）ことがわかる。
【００２９】
従来、収容された複数の衛生用品２の復元力Ｆ2によって、対向する側面部Ａ、Ａ’が外側に膨出することによって、それらと一体となった頂部４の先端縁も同様に外側に広がり、その広がる力に起因して、開閉部によって包装袋の開口を閉塞しにくかったり、閉塞しても後になって包装袋の開口が開いてしまったりしていた。
【００３０】
本実施形態では、包装袋１の閉塞状態において、開閉部８がこの復元力Ｆ2の作用方向と略平行に延在するように、開閉部８を包装袋１の頂部４に設ける。この構成により、復元力Ｆ2の作用方向が、開閉部８を構成する一対の係合部材における係合する力の作用方向と略垂直になり、復元力Ｆ2が当該係合する力に干渉することが抑制されるので、包装袋１の閉塞状態が保たれる。また、図５（ａ）および図６に示すように、力Ｆ3により対向する２つの側面部Ｂ、Ｂ’が内側に凹むことによって、それらと一体となった頂部４の先端縁も同様に内側に凹む。そして、その凹む力の作用方向が、開閉部８を構成する一対の係合部材における係合する力の作用方向と一致することで、開閉部８の係合する力が増加し、包装袋１の開口が開き難くなる。したがって、包装袋１の閉塞状態を維持し、その結果、収容された衛生用品２の清潔状態を保持することが可能となる。
【００３１】
本実施形態では、物品として衛生用品を対象としたが、衛生用品は他の物品に比べて、包装袋内部への異物の侵入を防ぐことへの要求が高いことから、本発明の効果をより享受できる。更には、衛生用品の中でもパンツ型のおむつは厚みが充分にあることから、それを複数収容した包装袋の胴部の対向する２つの側面部Ａ、Ａ’には、上記復元力Ｆ2が強く働く。よって、本実施形態を、当該パンツ型のおむつを複数収容した包装体に適用した場合、他の種類の衛生用品を収容した包装体よりも、包装袋の閉塞状態を維持できるという効果がより一層発揮されることになる。
【００３２】
ここで包装袋１の製造工程の一例を以下に述べる。
【００３３】
包装袋１は、一側縁にはガセット部が設けられ、当該一側縁に対向する他側縁が開放状態になった長尺状のフィルム（以下、片ガセットフィルムと言うことがある）から製造される。上記ガセット部は、一側縁を谷折りにしたガセット構造となっており、一側縁を谷折りにして形成される２つの山（以下、ガセット半部と言うことがある）を有する。
（１）先ず、包装袋１の天面部５および立ち上がり部６が形成される領域を設けるため、ガセット半部の先端から基端までの間のうち一定幅で、図２（ａ）に示す包装袋１の正面から見て横方向に相当する方向（片ガセットフィルムの長手方向）に、ガセット半部の内側の面を接着する。この接着は、２つのガセット半部についてそれぞれ行われ、例えば、ヒートシールによって行われる。  
（２）そして、図２（ａ）に示す包装袋１の正面から見て横方向に相当する方向（片ガセットフィルムの長手方向）において所定間隔で、一側縁から他側縁までを一定幅で片ガセットフィルムを接着し、片ガセットフィルムに複数の接着部を形成させる。  
（３）次に、接着部の幅が半分になるように、図２（ａ）に示す包装袋１の高さ方向に相当する方向（片ガセットフィルムの短手方向）に沿って、複数の接着部をそれぞれ切断していくと、両側端が接着された個々の袋状のフィルムを得ることができる。  
（４）個々になった袋状のフィルムのうちガセット部を折り畳んで、天面部５、立ち上がり部６、および４つの側面部を形成することによって、底面部が開放状態の包装袋１を得ることができる。衛生用品は、その開放された他側縁から挿入され、図１の破断部分に示すように収容され、他側縁を折り込むことによって包装袋１に収容されることになる。折り込まれた他側縁は、接着によって封止される。
【００３４】
包装袋１の４つの側面部のうち対向する２つの側面部は、接着部を切断したときにできるシール部を中央付近にそれぞれ有し、残りの対向する２つの側面部は、シール部を有さない略フラットな面をそれぞれ有する。
【００３５】
＜実施形態２＞  
本発明の実施形態２に係る包装袋は、胴部の天面を覆う屋根型形状の頂部を有したものである。このような実施形態１と異なる形状の包装袋についても、閉塞状態において、開閉部が、圧縮して収容された物品（本実施形態においては衛生用品２）の配列方向と略平行方向に延在するように、当該開閉部を包装袋の頂部に設けることで、包装袋の閉塞状態を維持することが可能となる。
【００３６】
開封線および開閉部が設けられる位置がそれぞれ異なる包装袋の２つの形態について、次の実施形態２−１および実施形態２−２においてそれぞれ説明する。図７から図１８に示す実施形態２−１および実施形態２−２に係る包装袋を構成する各要素のうち、同様の機能を有するものについては、同一の符号を付してその説明を省略する。
【００３７】
＜実施形態２−１＞  
本発明の実施形態２−１に係る包装袋では、屋根型形状を構成する一対の傾斜面部の一方に開封線を設け、一対の傾斜面部の内周に開閉部を設ける。
【００３８】
図７および図８に本発明の実施形態２−１に係る、開封前の包装袋１０および包装体１１０を示し、図７は斜視図、図８（ａ）は図７のＶＩＩＩＡ方向の正面図、図８（ｂ）は上面図、図８（ｃ）は底面図をそれぞれ表す。また、図９に本実施形態に係る、開封後の包装袋１０’および包装体１１０’を示し、図９（ａ）は斜視図、図９（ｂ）は図９（ａ）のＩＸＢ方向の正面図、図９（ｃ）は上面図をそれぞれ表す。
【００３９】
包装袋１０は、天面と底面との間の衛生用品２を収容する空間を実質的に画成する胴部１３と、胴部１３の天面を覆う頂部１４とを備えて構成される。なお、これらの部分は別体に製造された後に一体化されたものではなく、１枚のシート状部材の折り曲げ等によって予め一体に形成されているものである。
【００４０】
本実施形態の包装袋１０の胴部１３は、包装袋１０の底面部（図８（ｃ）を参照）と略垂直な４つの側面部を有する。図８（ｂ）に示すように、包装袋１０の天面側からみた場合の包装袋１０の上面の形状は略長方形である。図７に示すように、当該４つの側面部のうち、一方の対向する２つの側面部をＥ、Ｅ’とし、他方の対向する２つの側面部をＦ、Ｆ’とする。包装袋１０の胴部１３には、実施形態１と同様に、複数の衛生用品２を並置して互いに接触した状態で密に配列可能である。本実施形態では、衛生用品２は、圧縮された状態で、上記略長方形の長辺と略平行（対向する２つの側面部Ｆ、Ｆ’と略平行）に配列され、包装袋１０の胴部１３に収容されている。圧縮して収容された複数の衛生用品２の復元力によって、対向する２つの側面部Ｅ、Ｅ’には、包装袋１０の外側に膨出するような力が略垂直方向に働くことになる。
【００４１】
頂部１４には、一対の傾斜面部１５とこれらに挟まれるように立ち上がり部１６とが設けられる。一対の傾斜面部１５の一方には、図８（ａ）に示すように、図８（ｂ）に示す略長方形の長辺と略平行に開封線１７が設けられ、これを破断することで、包装袋１０が開封され、包装袋１０の開口が形成される。
【００４２】
図１０は図８（ａ）のＸ−Ｘ方向の断面を表した模式図である。この断面は、包装袋１０の頂部１４を、開封線１７を含めるように破断したときに形成される開口を簡略的に示したものである。図１０では開封線１７を間欠的にハッチングした部分で表す。本実施形態では、図７および図１０に示すように、開封線１７は、胴部１３の底面部に略平行であって、一対の傾斜面部１５の一方の面（側面部Ｆ近傍の傾斜面）と、頂部１４のうち側面部ＥおよびＥ’の上方に延在する折り込み部分とに形成され、一対の傾斜面部１５の他方の面（側面部Ｆ’近傍の傾斜面）には形成されていないことがわかる。このように形成された開封線１７を破断すると、図９（ａ）および図９（ｂ）に示すように、立ち上がり部１６が残った状態で、包装袋１０に略長方形の開口が形成され、包装袋１０が開封される。
【００４３】
包装袋１０の内側の面のうち頂部１４には包装袋１０の内部を開放／閉塞することが可能な開閉部１８が設けられる。開閉部１８は、実施形態１と同様に、例えば、互いに係合することで包装袋の開口を閉塞可能な一対の係合部材で構成されたチャックで構成され、図７および図８（ｂ）に示すように、互いに係合可能な雌係合部材１８ａと雄係合部材１８ｂとで構成される。本実施形態では、開閉部１８は、包装袋１０の胴部１３の底面部と略平行であって、包装袋１０の傾斜面部１５のうち内側の面に設けられる。本実施形態では、図９（ｃ）に示す略長方形の上半分の内周部分に雌係合部材１８ａが形成され、図９（ｃ）に示す略長方形の下半分の内周部分に雄係合部材１８ｂが形成される。
【００４４】
図９（ｂ）に示すように、開封後の包装袋１０’において、開閉部１８は、収容した衛生用品２に対し、胴部１３の底面部に垂直な方向において、間隙Ｌ’をもって位置するように形成されている。当該間隙Ｌ’が設けられることによって、開閉部１８のうち雌係合部材１８ａと雄係合部材１８ｂとが、互いに対峙して容易に係合できる範囲に移動することができるため、包装袋１０’を閉塞することが可能となる。
【００４５】
図１１を用い、本発明の実施形態２−１に係る包装袋１０’を閉塞する様子について説明する。ここで、図１１（ａ）は、図８（ｂ）のＸＩＡ−ＸＩＡ方向断面を模式的に表した図であって、開封前の包装袋１０および包装体１１０の開閉部１８付近を示し、図１１（ｂ）は、図９（ｃ）のＸＩＢ−ＸＩＢ方向断面を模式的に表した図であって、開封後の包装袋１０’および包装体１１０’の開閉部１８付近を示す。また、図１１（ｃ）は、開封後かつ閉塞後の包装袋１０’および包装体１１０’の開閉部１８付近の断面を模式的に示す。さらに、図１２に閉塞後の包装袋１０’および包装体１１０’の斜視図を示す。
【００４６】
開封前の包装袋１０の開閉部１８については、図８（ｂ）、図１１（ａ）に示すように、雌係合部材１８ａと雄係合部材１８ｂとが互いに離れて、並行して配設されている様子がわかる。開封後の包装袋１０’の開閉部１８については、図１１（ｂ）に示すように、雌係合部材１８ａと雄係合部材１８ｂとが互いに離れて、対向している様子がわかる。閉塞する際の開閉部１８については、図１１（ｃ）に示すように、雌係合部材１８ａと雄係合部材１８ｂとが互いに係合して包装袋１０’を閉塞している様子がわかる。包装袋１０’を閉塞すると、包装袋１０’は図１２に示すような状態になる。
【００４７】
本実施形態では、図１２に示すように、包装袋１０’の閉塞状態において、開閉部１８が、衛生用品２の配列方向と略平行な方向に延在する。すなわち、閉塞状態において、開閉部１８は、包装袋に圧縮して複数収容されることで生じる衛生用品２の復元力の作用方向と略平行な方向に延在する。換言すれば、雌係合部材１８ａと雄係合部材１８ｂとの係合する方向は、衛生用品２の配列方向と略垂直な方向である。
【００４８】
本実施形態において、包装袋に圧縮して複数収容されることで生じる衛生用品２の復元力が、開封後の包装袋の胴部１３の４つの側面部にどのように作用するかについては、図５（ａ）〜図５（ｃ）、図６について説明した実施形態１の場合と同様である。
【００４９】
本実施形態によれば、実施形態１と同様に、包装袋の閉塞状態を維持し、包装袋に収容された衛生用品の清潔状態を保持することが可能となる。
【００５０】
＜実施形態２−２＞  
本発明の実施形態２−２に係る包装袋では、屋根型形状を構成する一対の傾斜面部の双方に開封線を設け、一対の傾斜面部の内周に開閉部を設ける。
【００５１】
図１３および図１４に本発明の実施形態２−２に係る、開封前の包装袋１０および包装体１２０を示し、図１３は斜視図、図１４（ａ）は図１３のＸＩＶＡ方向の正面図、図１４（ｂ）は上面図、図１４（ｃ）は底面図をそれぞれ表す。また、図１５に本実施形態に係る、開封後の包装袋１０’および包装体１２０’を示し、図１５（ａ）は斜視図、図１５（ｂ）は図１５（ａ）のＸＶＢ方向の正面図、図１５（ｃ）は上面図をそれぞれ表す。
【００５２】
本実施形態の包装袋１０の胴部１３は、包装袋１０の底面部（図１４（ｃ）を参照）と略垂直な４つの側面部を有し、図１３に示すように、当該４つの側面部のうち、一方の対向する２つの側面部をＧ、Ｇ’とし、他方の対向する２つの側面部をＨ、Ｈ’とする。本実施形態における衛生用品２の配列については実施形態２−１と同様であり、衛生用品２は、圧縮された状態で、図１４（ｂ）に示す上記略長方形の長辺と略平行な方向（対向する２つの側面部Ｈ、Ｈ’と略平行な方向）に配列され、包装袋１０の胴部１３に収容されている。圧縮して収容された複数の衛生用品２の復元力によって、対向する２つの側面部Ｇ、Ｇ’には、包装袋１０の外側に膨出するような力が略垂直方向に働くことになる。
【００５３】
一対の傾斜面部１５には、図１４（ａ）に示すように、図１４（ｂ）に示す略長方形の長辺と略平行に開封線１７が設けられ、これを破断することで、包装袋１０が開封され、包装袋１０の開口が形成される。
【００５４】
図１６は図１４（ａ）のＸＶＩ−ＸＶＩ方向の断面を表した模式図である。この断面は、包装袋１０の頂部１４を、開封線１７を含めるように破断したときに形成される開口を簡略的に示したものである。図１６では開封線１７を間欠的にハッチングした部分で表す。本実施形態では、図１３および図１６に示すように、開封線１７は、胴部１３の底面部に略平行であって、一対の傾斜面部１５の双方の面と、頂部１４のうち側面部ＧおよびＧ’の上方に延在する折り込み部分とに形成されていることがわかる。このように形成された開封線１７を破断すると、図１５（ａ）および図１５（ｂ）に示すように、立ち上がり部１６が除去され、包装袋１０に略長方形の開口が形成され、包装袋１０が開封される。
【００５５】
包装袋１０の内側の面のうち頂部１４には、実施形態２−１と同様に、包装袋１０の内部を開放／閉塞することが可能な開閉部１８が設けられる。開閉部１８は、実施形態２−１と同様に、互いに係合可能な雌係合部材１８ａと雄係合部材１８ｂとで構成される。本実施形態では、開閉部１８は、包装袋１０の胴部１３の底面部と略平行であって、包装袋１０の傾斜面部１５のうち内側の面に設けられる。本実施形態では、図１５（ｃ）に示す略長方形の上半分の内周部分に雌係合部材１８ａが形成され、図１５（ｃ）に示す略長方形の下半分の内周部分に雄係合部材１８ｂが形成される。
【００５６】
図１５（ｂ）に示すように、開封後の包装袋１０’において、開閉部１８は、収容された衛生用品２に対し、胴部１３の底面部に垂直な方向において、間隙Ｌ’をもって位置するように形成されている。この構成により、実施形態２−１と同様に、包装袋１０’を閉塞することが可能となっている。
【００５７】
図１７を用い、本発明の実施形態２−２に係る包装袋１０’を閉塞する様子について説明する。ここで、図１７（ａ）は、図１４（ｂ）のＸＶＩＩＡ−ＸＶＩＩＡ方向断面を模式的に表した図であって、開封前の包装袋１０および包装体１２０の開閉部１８付近を示し、図１７（ｂ）は、図１５（ｃ）のＸＶＩＩＢ−ＸＶＩＩＢ方向断面を模式的に表した図であって、開封後の包装袋１０’および包装体１２０’の開閉部１８付近を示す。また、図１７（ｃ）は、開封後かつ閉塞後の包装袋１０’および包装体１２０’の開閉部１８付近の断面を模式的に示す。さらに、図１８に閉塞後の包装袋１０’および包装体１２０’の斜視図を示す。
【００５８】
開封前の包装袋１０の開閉部１８については、図１４（ｂ）、図１７（ａ）に示すように、雌係合部材１８ａと雄係合部材１８ｂとが互いに離れて、並行して配設され、開封後の包装袋１０’の開閉部１８については、図１７（ｂ）に示すように、雌係合部材１８ａと雄係合部材１８ｂとが互いに離れて、対向している様子がわかる。閉塞する際の開閉部１８については、図１７（ｃ）に示すように、雌係合部材１８ａと雄係合部材１８ｂとが互いに係合して包装袋１０’を閉塞している様子がわかる。包装袋１０’を閉塞すると、包装袋１０’は図１８に示すような状態になる。
【００５９】
本実施形態では、実施形態２−１と同様に、包装袋１０’の閉塞状態において、開閉部１８は、衛生用品２の配列方向と略平行な方向に延在する。すなわち、閉塞状態において、開閉部１８は、包装袋に圧縮して複数収容されることで生じる衛生用品２の復元力の作用方向と略平行な方向に延在する。換言すれば、雌係合部材１８ａと雄係合部材１８ｂとの係合する方向は、衛生用品２の配列方向と略垂直な方向である。
【００６０】
本実施形態において、包装袋に圧縮して複数収容されることで生じる衛生用品２の復元力が、開封後の包装袋の胴部１３の４つの側面部にどのように作用するかについては、図５（ａ）〜図５（ｃ）、図６について説明した実施形態１の場合と同様である。
【００６１】
本実施形態によれば、実施形態１と同様に、包装袋の閉塞状態を維持し、包装袋に収容された衛生用品の清潔状態を保持することが可能となる。
【００６２】
＜その他＞  
本発明は、上述した実施形態１および実施形態２や、随所に述べた変形例に限られることなく、本発明の技術的思想から逸脱しない範囲で、適宜の変更や変形が可能である。
【００６３】
例えば、上記各実施形態では、開封線が形成されているが、包装袋を開封可能であるなら、開封線を形成せずに、簡単に破断可能な素材で構成された易破断部を包装袋の頂部付近に設けても良い。また、開封線を形成せずに、両縁を掴んで開封するような包装袋についても本発明は適用可能である。
【００６４】
上記各実施形態では、開閉部は、包装袋の開口を閉塞可能な一対の係合部材を有するチャックで構成されているが、これに限られず、例えば、雄係合部材と当該雄係合部材が繰り返し剥離可能に接着できる雌係合部材とで構成される面ファスナーを使用して包装袋の開口を閉塞しても良い。この場合、包装袋の閉塞状態において、面ファスナーが、複数の物品の配列方向と略平行な方向に延在するように、包装袋の頂部に雄係合部材および当該雄係合部材に対応する雌係合部材を設ける。
【００６５】
上記各実施形態に係る包装袋は、開閉部のうち一方の係合部材と他方の係合部材とが、向かい合うように、包装袋の内側に設けられているが、これに限られず、閉塞状態を維持するという本発明の所期の目的を達成し得るのであれば、開閉部を、互いに背向するように包装袋の外側に形成してもよい。
【００６６】
上記各実施形態に係る包装袋は、可搬性を考慮して、実施形態１に係る包装袋の立ち上がり部６の内側（または外側）の面に基端領域が接着された一対の持ち手部を備えたり、実施形態２に係る包装袋の立ち上がり部１６に手で持って提げるための穴を形成したりしても良い。
【００６７】
さらに、上述の各実施形態では、圧縮して収容された物品の復元力によって物品の配列方向に包装袋が膨出し、さらにその膨出に伴って配列方向と直交する方向に包装袋が凹むものとして説明した。しかし要は、物品の復元力が開閉部の閉塞状態を阻害しない構成であればよく、有意の凹みが生じることを要件とするものではない。
【００６８】
上記各実施形態に係る包装袋には、立ち上がり部が形成されているが、立ち上がり部を形成しない形態であっても良い。これにより、包装袋全体をコンパクトな形状にすることが可能となる。
【符号の説明】
【００６９】
１、１０、１０’  包装袋
２  衛生用品
３、１３  胴部
４、１４  頂部
５  天面部
６、１６  立ち上がり部
７、１７  開封線
８、１８  開閉部
１５  傾斜面部
１００、１１０、１１０’ 、１２０、１２０’  包装体
【図１】
0006672653.tif 000002
【図２】
0006672653.tif 000003
【図３】
0006672653.tif 000004
【図４】
0006672653.tif 000005
【図５】
0006672653.tif 000006
【図６】
0006672653.tif 000007
【図７】
0006672653.tif 000008
【図８】
0006672653.tif 000009
【図９】
0006672653.tif 000010
【図１０】
0006672653.tif 000011
【図１１】
0006672653.tif 000012
【図１２】
0006672653.tif 000013
【図１３】
0006672653.tif 000014
【図１４】
0006672653.tif 000015
【図１５】
0006672653.tif 000016
【図１６】
0006672653.tif 000017
【図１７】
0006672653.tif 000018
【図１８】
0006672653.tif 000019